(57)【要約】【課題】この発明は、オンライン認識部による認識結果が正しいか否かを確認することが可能となる。【解決手段】この発明は、オンライン認識部による認識結果に基づいて紙葉類を区分するとともに、オンライン認識部による認識結果と当該紙葉類の画像とをＶＣＳへ転送し、これらの紙葉類の画像に対してＶＣＳでオフライン認識部による認識処理を行って、上記オンライン認識部による認識結果とオフライン認識結果とが一致するか否かを判断するようにしたものである。【選択図】    図１
2004337816.tif 000002
【特許請求の範囲】
【請求項１】
紙葉類に記載されている区分情報に基づいて紙葉類を区分する区分機において、
特定の区分情報を予め設定しておく設定手段と、
紙葉類上の画像を読み取る読取手段と、
この読取手段により読み取った画像から紙葉類に記載された区分情報を認識するオンライン認識手段と、
このオンライン認識手段により認識された区分情報に基づいて紙葉類を区分する区分手段と、
前記オンライン認識手段により認識された区分情報が前記設定手段にて設定されている特定の区分情報と一致する紙葉類の画像を蓄積する画像記憶部と、
を有することを特徴とする区分機。
【請求項２】
紙葉類に記載されている区分情報に基づいて紙葉類を区分する区分機において、
特定の区分情報を予め設定しておく設定手段と、
紙葉類上の画像を読み取る読取手段と、
この読取手段により読み取った画像から紙葉類に記載された区分情報を認識するオンライン認識手段と、
このオンライン認識手段により認識された区分情報に基づいて紙葉類を区分する区分手段と、
前記オンライン認識手段により認識された区分情報が前記設定手段にて設定されている特定の区分情報と一致する紙葉類の画像を蓄積する画像記憶部と、
この画像記憶部により蓄積された紙葉類の画像に対して前記区分機の前記認識手段とは異なる認識方法で区分情報を認識するオフライン認識手段と、
このオフライン認識手段による区分情報の認識結果が前記設定手段にて設定されている特定の区分情報と一致するか否かを判断する判断手段と、
を有することを特徴とする区分機。
【請求項３】
紙葉類に記載されている区分情報に基づいて紙葉類を区分する区分機と、この区分機から転送された紙葉類の画像を蓄積する蓄積装置とを有する区分システムにおいて、
前記区分機は、
特定の区分情報を予め設定しておく設定手段と、
紙葉類上の画像を読み取る読取手段と、
この読取手段により読み取った画像から紙葉類に記載された区分情報を所定時間内に認識するオンライン認識手段と、
このオンライン認識手段により認識された区分情報に基づいて紙葉類を区分する区分手段と、
前記オンライン認識手段により認識された区分情報が前記設定手段にて設定されている特定の区分情報と一致する紙葉類の画像を前記蓄積装置へ転送する画像転送手段と、を有し、
前記蓄積装置は、
前記区分機から転送されてきた紙葉類の画像を蓄積する画像記憶部を有する、
ことを特徴とする区分システム。
【請求項４】
紙葉類に記載されている区分情報に基づいて紙葉類を区分する区分機と、この区分機から転送された紙葉類の画像を蓄積する蓄積装置とを有する区分システムにおいて、
前記区分機は、
特定の区分情報を予め設定しておく設定手段と、
紙葉類上の画像を読み取る読取手段と、
この読取手段により読み取った画像から紙葉類に記載された区分情報を所定時間内に認識するオンライン認識手段と、
このオンライン認識手段により認識された区分情報に基づいて紙葉類を区分する区分手段と、
前記オンライン認識手段により認識された区分情報が前記設定手段にて設定されている特定の区分情報と一致する紙葉類の画像を前記蓄積装置へ転送する画像転送手段と、を有し、
前記蓄積装置は、
前記区分機から転送されてきた紙葉類の画像を蓄積する画像記憶部と、
この画像記憶部により蓄積された紙葉類の画像に対して前記区分機の前記認識手段とは異なる認識方法で区分情報を認識するオフライン認識手段と、
このオフライン認識手段による区分情報の認識結果が前記設定手段にて設定されている特定の区分情報と一致するか否かを判断する判断手段と、を有する、
ことを特徴とする区分システム。
【請求項５】
紙葉類に記載されている区分情報に基づいて紙葉類を区分する区分機と、この区分機から転送された紙葉類の画像を蓄積する蓄積装置とを有する区分システムにおいて、
前記区分機は、
特定の区分情報を予め設定しておく設定手段と、
紙葉類上の画像を読み取る読取手段と、
この読取手段により読み取った画像から紙葉類に記載された区分情報を所定時間内に認識するオンライン認識手段と、
このオンライン認識手段により認識された区分情報が前記設定手段にて設定されている特定の区分情報である紙葉類に識別情報を付与する付与手段と、
この付与手段により識別情報を付与した紙葉類の画像と当該紙葉類の識別情報とを含む画像情報を前記蓄積装置へ転送する転送手段と、
前記オンライン認識手段による認識結果に基づいて紙葉類を区分する第１の区分手段と、
この第１の区分手段により前記設定手段にて設定されている特定の区分情報として区分された紙葉類が再供給された場合、前記蓄積装置から通知される識別情報に対応づけられた区分情報と紙葉類に付与されている識別情報とに基づいて、再供給された紙葉類を区分する第２の区分手段と、を有し、
前記蓄積装置は、
前記転送手段により転送された紙葉類の画像を蓄積する画像記憶部と、
この画像記憶部により蓄積された紙葉類の画像に対して前記区分機の前記認識手段とは異なる認識方法で区分情報を認識するオフライン認識手段と、
このオフライン認識手段による区分情報の認識結果が前記設定手段にて設定されている特定の区分情報と一致するか否かを判断する判断手段と、
この判断手段により前記オフライン認識手段による認識結果が特定の区分情報と一致すると判断した場合、当該紙葉類の識別情報と前記特定の区分情報とを対応させて前記区分機へ通知する第１の通知手段と、
前記判断手段により前記オフライン認識手段による認識結果が特定の区分情報と一致しないと判断した場合、当該紙葉類の画像をオペレータが区分情報を入力するコーディング端末へ転送し、当該コーディング端末にて入力された区分情報と当該紙葉類の識別情報とを対応させて前記区分機へ通知する第２の通知手段と、を有する、
ことを特徴とする区分システム。
【請求項６】
紙葉類上の画像を読み取る読取手段と、この読取手段により読み取った画像から紙葉類に記載された区分情報を所定時間内に認識するオンライン認識手段と、このオンライン認識手段により認識された区分情報に基づいて紙葉類を区分する区分手段とを有する区分機に用いられる紙葉類の区分方法であって、
特定の区分情報を予め設定しておき、
前記読取手段により紙葉類の画像を読み取り、
前記読取手段により読み取った紙葉類の画像から前記オンライン認識手段により区分情報を認識し、
前記区分手段により前記オンライン認識手段にて認識した区分情報に基づいて紙葉類を区分し、
前記オンライン認識手段により認識された区分情報が前記特定の区分情報と一致する紙葉類の画像を記憶装置に蓄積する、
ことを特徴とする紙葉類の区分方法。
【請求項７】
紙葉類上の画像を読み取る読取手段と、この読取手段により読み取った画像から紙葉類に記載された区分情報を所定時間内に認識するオンライン認識手段と、前記認識手段により認識された区分情報に基づいて紙葉類を区分する区分手段とを有する区分機に用いられる紙葉類の区分方法であって、
特定の区分情報を予め設定しておき、
前記読取手段により紙葉類の画像を読み取り、
前記読取手段により読み取った紙葉類の画像から前記オンライン認識手段により区分情報を認識し、
前記区分手段により前記オンライン認識手段にて認識した区分情報に基づいて紙葉類を区分し、
前記オンライン認識手段により認識した区分情報が前記特定の区分情報と一致する紙葉類の画像を記憶装置に蓄積し、
前記記憶装置に蓄積された紙葉類の画像に対して前記オンライン認識手段とは異なる認識方法で区分情報の認識処理を行い、
この認識処理により認識された紙葉類の区分情報が前記特定の区分情報と一致するか否かを判断する、
ことを特徴とする紙葉類の区分方法。
【請求項８】
紙葉類上の画像を読み取る読取手段と、この読取手段により読み取った画像から紙葉類に記載された区分情報を所定時間内に認識するオンライン認識手段と、このオンライン認識手段により認識された区分情報に基づいて紙葉類を区分する区分手段とを有する区分機と、この区分機から転送された紙葉類の画像を蓄積する蓄積装置とを有する区分システムに用いられる紙葉類の区分方法であって、
特定の区分情報を予め設定しておき、
前記読取手段により紙葉類の画像を読み取り、
前記読取手段により読み取った紙葉類の画像から前記オンライン認識手段により区分情報を認識し、
前記オンライン認識手段により認識された区分情報が前記特定の区分情報と一致する紙葉類には識別情報を付与し、
この識別情報が付与された紙葉類の画像と当該紙葉類の識別情報とを前記蓄積装置へ転送し、
前記区分手段により前記オンライン認識手段にて認識した区分情報に基づいて紙葉類を区分し、
前記区分機から転送された紙葉類の画像を記憶装置に蓄積し、
前記記憶装置に蓄積された紙葉類の画像に対して前記区分機の前記オンライン認識手段とは異なる認識方法で区分情報のオフライン認識処理を行い、
このオフライン認識処理により認識された区分情報が前記特定の区分情報と一致するか否かを判断し、
この判断により前記オフライン認識処理による認識結果が前記特定の区分情報と一致すると判断した場合、当該紙葉類の識別情報と前記特定の区分情報とを対応づけて前記区分機へ通知し、
前記判断により前記オフライン認識処理による認識結果が前記特定の区分情報と一致しないと判断した場合、当該紙葉類の画像をオペレータが区分情報を入力するコーディング端末へ転送し、当該コーディング端末にて入力された区分情報と当該紙葉類の識別情報とを対応づけて前記区分機へ通知し、
前記オンライン認識手段により認識された区分情報が特定の区分情報と一致した紙葉類が前記区分機に再供給された場合、前記蓄積装置から通知された識別情報に対応づけられた区分情報と紙葉類に付与されているＩＤコードとに基づいて、再供給された紙葉類を区分する、
ことを特徴とする紙葉類の区分方法。
【発明の詳細な説明】
【０００１】
【発明の属する技術分野】
この発明は、例えば、葉書や封書などの郵便物等の紙葉類上の画像を読み取って区分先を示す情報（区分情報）を認識処理し、認識した区分情報に基づいて紙葉類を区分する区分機と、この区分機で区分情報が認識できなかった紙葉類の区分先を示す情報をオペレータが入力するビデオコーディングシステム（ＶＣＳ）とを有する区分システムと紙葉類の区分方法に関する。
【０００２】
【従来の技術】
従来、区分システムは、紙葉類の画像から認識する区分先を示す情報（区分情報）に基づいて紙葉類を区分する区分機と、区分機で区分情報が認識出来なかった紙葉類の区分先を示す情報を人手で入力するＶＣＳとを有している。
【０００３】
上記区分機は、紙葉類上の画像を読み取ってオンラインＯＣＲにて区分先を示す情報（区分情報）の認識処理を行い、この認識結果に基づいて紙葉類を区分する。また、上記区分機では、上記オンラインＯＣＲで区分情報が認識できなかった紙葉類の画像を上記ＶＣＳへ転送し、ＶＣＳからの区分情報に基づいて再度区分処理を行うようになっている。
【０００４】
また、上記ＶＣＳでは、上記区分機から転送された紙葉類の画像（上記オンラインＯＣＲにて区分情報が認識できなかった紙葉類の画像）を蓄積し、ビデオコーディングディスク（ＶＣＤ）あるいはオフラインＯＣＲへ分配するようになっている。上記ＶＣＤは、オペレータが区分情報の打鍵入力処理を行うものである。上記オフラインＯＣＲは、上記オンラインＯＣＲとは異なる認識方法で認識処理を行うものである。また、上記オフラインＯＣＲでは、上記オンラインＯＣＲでの認識処理よりも多くの処理時間をかけることができるため、上記オンラインＯＣＲよりも精度が高い認識処理を行うことができる。上記ＶＣＳでは、上記ＶＣＤにより入力された区分情報あるいは上記オンラインＯＣＲで認識された区分情報を上記区分機へ返すようになっている。
【０００５】
従来の区分システムでは、上記のような動作により全て紙葉類を区分することが可能である。しかしながら、区分機本体内の上記オンラインＯＣＲでは、誤認識する可能性がある。従来の区分システムでは、上記オンラインＯＣＲにて誤認識した場合、その紙葉類が誤認識された区分情報に基づいて区分されてしまう。また、従来の区分システムでは、オンラインＯＣＲで認識が完了した紙葉類の画像を蓄積していない。このため、従来の区分システムでは、誤認識で区分された紙葉類が発見された場合であっても、誤認識された紙葉類の画像を後で確認することができず、誤認識の原因を調査することが困難である。
【０００６】
【発明が解決しようとする課題】
この発明は、上記したように、オンラインＯＣＲの誤認識によって紙葉類が誤区分されたり、オンラインＯＣＲで誤認識があっても、その誤認識の原因を調査することが困難であるという問題点を解決するもので、オンラインＯＣＲでの誤認識による紙葉類の誤区分を防止することができ、オンラインＯＣＲでの認識結果を確認したり、オンラインＯＣＲでの誤認識の原因を容易に調査することができる区分機、区分システムおよび紙葉類の区分方法を提供することを目的とする。
【０００７】
【課題を解決するための手段】
この発明の区分機は、紙葉類に記載されている区分情報に基づいて紙葉類を区分するものにおいて、特定の区分情報を予め設定しておく設定手段と、紙葉類上の画像を読み取る読取手段と、この読取手段により読み取った画像から紙葉類に記載された区分情報を認識するオンライン認識手段と、このオンライン認識手段により認識された区分情報に基づいて紙葉類を区分する区分手段と、前記オンライン認識手段により認識された区分情報が前記設定手段にて設定されている特定の区分情報と一致する紙葉類の画像を蓄積する画像記憶部とを有する。
【０００８】
この発明の区分システムは、紙葉類に記載されている区分情報に基づいて紙葉類を区分する区分機と、この区分機から転送された紙葉類の画像を蓄積する蓄積装置とを有するものにおいて、前記区分機は、特定の区分情報を予め設定しておく設定手段と、紙葉類上の画像を読み取る読取手段と、この読取手段により読み取った画像から紙葉類に記載された区分情報を所定時間内に認識するオンライン認識手段と、このオンライン認識手段により認識された区分情報が前記設定手段にて設定されている特定の区分情報である紙葉類に識別情報を付与する付与手段と、この付与手段により識別情報を付与した紙葉類の画像と当該紙葉類の識別情報とを含む画像情報を前記蓄積装置へ転送する転送手段と、前記オンライン認識手段による認識結果に基づいて紙葉類を区分する第１の区分手段と、この第１の区分手段により前記設定手段にて設定されている特定の区分情報として区分された紙葉類が再供給された場合、前記蓄積装置から通知される識別情報に対応づけられた区分情報と紙葉類に付与されている識別情報とに基づいて、再供給された紙葉類を区分する第２の区分手段とを有し、前記蓄積装置は、前記転送手段により転送された紙葉類の画像を蓄積する画像記憶部と、この画像記憶部により蓄積された紙葉類の画像に対して前記区分機の前記認識手段とは異なる認識方法で区分情報を認識するオフライン認識手段と、このオフライン認識手段による区分情報の認識結果が前記設定手段にて設定されている特定の区分情報と一致するか否かを判断する判断手段と、この判断手段により前記オフライン認識手段による認識結果が特定の区分情報と一致すると判断した場合、当該紙葉類の識別情報と前記特定の区分情報とを対応させて前記区分機へ通知する第１の通知手段と、前記判断手段により前記オフライン認識手段による認識結果が特定の区分情報と一致しないと判断した場合、当該紙葉類の画像をオペレータが区分情報を入力するコーディング端末へ転送し、当該コーディング端末にて入力された区分情報と当該紙葉類の識別情報とを対応させて前記区分機へ通知する第２の通知手段とを有する。
【０００９】
この発明の紙葉類の区分方法は、紙葉類上の画像を読み取る読取手段と、この読取手段により読み取った画像から紙葉類に記載された区分情報を所定時間内に認識するオンライン認識手段と、このオンライン認識手段により認識された区分情報に基づいて紙葉類を区分する区分手段とを有する区分機に用いられる方法であって、特定の区分情報を予め設定しておき、前記読取手段により紙葉類の画像を読み取り、前記読取手段により読み取った紙葉類の画像から前記オンライン認識手段により区分情報を認識し、前記区分手段により前記オンライン認識手段にて認識した区分情報に基づいて紙葉類を区分し、前記オンライン認識手段により認識された区分情報が前記特定の区分情報と一致する紙葉類の画像を記憶装置に蓄積する。
【００１０】
【発明の実施の形態】
以下、この発明の実施の形態について図面を参照して説明する。
図１は、この発明の実施の形態に係わる区分システムの概略構成を示すものである。
この区分システムは、図１に示すように、紙葉類の区分先を示す情報（文字情報）を認識して区分する読取区分機本体（区分機）１、この読取区分機本体１にて区分先が認識できなかった紙葉類の区分先を示す情報を当該紙葉類の画像に基づいてオペレータが入力するビデオコーディングシステム（以下、ＶＣＳと称する）２から構成されている。
【００１１】
まず、読取区分機本体１について説明する。
図１に示すように、読取区分機本体１は、前面にオペレーションパネル３が設けられている搬送区分部本体１ａを有している。上記オペレーションパネル３は、タッチパネル内蔵の液晶表示装置等で構成され、オペレータ（係員）が処理モード（区分モード）、種々の動作設定、あるいは処理の開始を指定したり、区分機の動作状態などを表示するものである。上記オペレーションパネル３により指定される処理モードとしては、通常モードと再供給モードがあるもとする。ここで、上記通常モードは、紙葉類の画像から区分情報をオンライン認識部１８により認識し、その認識結果により紙葉類を区分する処理モードであるものとする。また、上記再供給モードは、上記通常モードによりＩＤコードが付与された紙葉類を再供給し、そのＩＤコードに基づいて区分する処理モードであるものとする。
【００１２】
上記搬送区分部本体１ａには、第１面に区分先を示す情報としての数字や文字などが書き込まれ或いは印刷された複数の紙葉類Ｐを、この第１面が同一方向を向くように揃えて立位で収容するとともに、これらの紙葉類Ｐを所定の取出位置へ順次供給する供給部１１を備えている。この供給部１１は、紙葉類Ｐを主搬送路１２に沿って所定の間隔で一通づつ取出す取出部（図示しない）が配設されている。
【００１３】
上記供給部１１に供給される紙葉類Ｐには、その第１面に区分先を示す情報に対応した文字のみが記載されたもの以外に、機械コードとして大口の区分先に予め決められているカスタマコードや紙葉類Ｐの区分先に対応して区分機内で決められる局内バーコード、または後述する認識部１８にて区分情報の認識が不能となった紙葉類Ｐに付与されるＩＤコードなどが記載されたものがある。尚、これらの各コードは、バーコード化した情報として紙葉類Ｐの第１面に付与されるものである。
【００１４】
上記供給部１１に供給されている紙葉類Ｐは、一定間隔で取出されて、一定速度で搬送する主搬送路１２により一定の搬送間隔（ピッチ）で搬送される。主搬送路１２上を搬送される紙葉類Ｐは、機械処理が不可能な異物の場合には排除され、機械処理が可能な紙葉類Ｐのみが搬送される。
【００１５】
主搬送路１２上には、スキャナ部（読取手段）１３、ＩＤコード読取部１４、バーコードプリンタ部１５、および区分部（区分手段）１６が設けられている。上記スキャナ部１３は、主搬送路１２上の紙葉類の区分先を示す情報が記載されている面を読取り、その読取画像を区分先を示す情報を認識する認識部（認識手段）１８へ送信するものである。上記ＩＤコード読取部１４は、主搬送路１２上を搬送される紙葉類の第１面にＩＤコードあるいは機械コードが付与されている場合に、そのＩＤコード、あるいは機械コードを読取るものである。
【００１６】
上記バーコードプリンタ部１５は、必要に応じて紙葉類の第１面にＩＤコード、あるいは機械コードを印刷するものである。これは、認識部１８により区分情報が認識できた場合に、その区分情報をバーコード化して紙葉類上に機械コードを印刷し、認識部１８により区分情報が認識できなかった場合に、ＩＤコードを印刷するものである。
【００１７】
このバーコードプリンタ部１５の紙葉類の搬送方向の下流側には、主搬送路１２上を搬送されてきた紙葉類Ｐが区分先に応じて区分される区分部１６が設けられている。この区分部１６は、複数の段、複数の列に区画された複数の区分ポケットから構成されている。各ポケットは、区分先ごとに対応して設定されており、区分情報あるいは機械コードに基づいて、紙葉類が区分情報に対応したポケットに順次集積される。また、区分部１６には、区分先が認識できなかった紙葉類が集積されるＶＣＳ排除ポケット（ＶＣＳリジェクット区分箱）が設けられている。このＶＣＳ排除ポケットに集積された紙葉類は、オペレータにより区分先を示す情報がＶＣＳ２にて入力された後に、供給部１１に再供給されるようになっている。
【００１８】
また、図１に示すように、上記読取区分機本体１の各部は、制御部１７により制御される。この制御部１７には、オペレーションパネル３、供給部１１、スキャナ部１３、ＩＤコード読取部１４、バーコードプリンタ部１５、区分部１６、オンライン認識部（区分機用ＯＣＲ）１８、及びＶＣＳインターフェース１９等が接続されている。また、上記制御部１７は、上記ＶＣＳ２から通知されるＩＤコードに対応づけられた区分情報などを記憶するメモリ１７ａを有している。
【００１９】
上記オンライン認識部１８には、スキャナ部１３から紙葉類の区分情報が記載されている第１面を光学的に読み取った画像が供給される。上記オンライン認識部１８は、供給された紙葉類の画像から紙葉類の区分情報を認識するものである。このオンライン認識部１８は、読み取られた画像から区分情報となる文字を切り出して文字認識を行い、図示しない文字辞書および住所辞書と比較してマッチング法などによって区分情報の認識を行う。
【００２０】
また、上記オンライン認識部１８は、区分機本体１内を搬送される紙葉類が区分可能な時間内に認識処理を行うオンラインＯＣＲである。このため、上記オンライン認識部１８での認識処理では、処理時間の制約が厳しいため、所定時間内で認識結果が得られるアルゴリズムで生成された認識方法が採用されている。このオンライン認識部１８による認識の可否は、制御部１７へ返信されるようになっている。さらに、オンライン認識部１８は、区分先を示す情報が認識できなかった場合、読取画像に付帯する情報として紙葉類の大きさ、文字の大きさ、文字の向き、区分先を示す情報の表記方向、文字種、認識深度、ＶＣＳ処理が必要な箇所を示す情報等のＯＣＲ情報（付帯情報）を生成する。
【００２１】
また、オンライン認識部１８には、ＶＣＳインターフェース（ＶＣＳＩ／Ｆ）１９が接続されている。このＶＣＳＩ／Ｆ１９は、例えば、パーソナルコンピュータ（ＰＣ）と同様な構成を有している。このＶＣＳＩ／Ｆ１９は、紙葉類に関するデータ（紙葉類の画像及び付帯情報等）を所定のフォーマットで上記画像蓄積分配装置２０へ送信する画像送信機能を有している。例えば、上記ＶＣＳＩ／Ｆ１９は、後述するように、上記オンライン認識部１８にて認識できなかった紙葉類に関するデータと、予め設定される特定の区分口に区分された紙葉類に関するデータとを所定のフォーマットでＶＣＳ２内の画像蓄積分配装置２０に送信する。
【００２２】
また、上記制御部１７は、区分機本体１の処理モードが上記通常モードである場合、主搬送路１２上を搬送される紙葉類Ｐの画像を上記スキャナ部１３により読取り、その紙葉類の画像に対する上記オンライン認識部１８の認識結果に基づき、紙葉類を区分する制御を行うようになっている。また、上記制御部１７は、区分機本体１の処理モードが上記再供給モードである場合、主搬送路１２上を搬送される紙葉類Ｐに付与されているＩＤコードを上記ＩＤコード読取部１４により読取り、そのＩＤコードにより図示しないデータベースからＩＤコードに対応する区分情報を検索し、その区分情報に基づいて紙葉類を区分する制御を行うようになっている。
【００２３】
次に、ＶＣＳ２について説明する。
図１に示すように、ＶＣＳ２は、画像蓄積分配装置（蓄積装置）２０、複数のビデオコーディング端末（以下、ＶＣＤと称する）３０、オフライン認識部（オフラインＯＣＲ）４０、及びＶＣＳ管理用端末５０などを有している。
【００２４】
上記画像蓄積分配装置２０は、上記区分機本体１から転送された紙葉類Ｐの画像とその画像の付帯情報等からなる画像情報（所定の画像フォーマット）を一旦蓄積し、蓄積している画像情報を上記ＶＣＤあるいはオフライン認識部４０に分配し、上記ＶＣＤ３０あるいはオフライン認識部４０から当該画像情報に対する区分情報を受取るようになっている。
【００２５】
上記画像蓄積分配装置２０は、主制御部２１、大容量記憶装置２２、画像メモリ２３、ビデオ分配制御部２４、タイミング制御部２５、入出力制御部２７から構成されている。
上記主制御部２１は、読取区分機本体１から送信される認識できなかった紙葉類Ｐの画像とその画像に対する付帯情報とからなる画像情報（所定の画像フォーマット）を受信し、画像圧縮、データの融合等の処理を行い、上記大容量記憶装置２２あるいは画像メモリ２３に記憶するものである。
【００２６】
上記大容量記憶装置２２は、ハードディスクドライブ（ＨＤＤ）などで構成され、上記主制御部２１の制御に基づいて区分機１から受信した紙葉類の画像及び付帯情報等を記憶する。この大容量記憶装置２２に記憶された画像情報は、主制御部２１からの送信要求に応じて画像メモリ２３上に読出される。
【００２７】
上記ビデオ分配制御部２４は、タイミング制御部２５と接続されている。このビデオ分配制御部２４は、各ＶＣＤ３０、…及びオフライン認識部４０から送信されてくる分配要求に従って作成される分配要求テーブル（図示しない）の内容に基づいて画像情報の送信先（分配先）のＶＣＤ３０あるいはオフライン認識部４０を判断するようになっている。つまり、ビデオ分配制御部２４は、分配要求テーブルによりコーディング（区分先の打鍵入力）可能で、画像情報の入力待ちとなっているＶＣＤ３０あるいはオフライン認識部４０を判断し、主制御部２１を制御することにより各ＶＣＤ３０あるいはオフライン認識部４０に処理データを送信する。
【００２８】
また、各ＶＣＤ３０、…、あるいはオフライン認識部４０で入力されたコーディング情報は、入出力制御部２７により受信される。入出力制御部２７は、タイミング制御部２５を介して、各ＶＣＤ３０、…、あるいはオフライン認識部４０から受信したコーディング情報を読取区分機本体１の制御部１７に送信する。
【００２９】
上記ＶＣＤ３０は、上記画像蓄積分配装置２０から分配される紙葉類Ｐの画像を表示し、この表示された画像に基づいてオペレータが区分先を示す情報を入力するものである。
上記ＶＣＤ３０は、制御部３１、記憶部３２、表示部３３、入力部３４などを有している。上記制御部３１は、各ＶＣＤ３０の全体を制御する。また、制御部３１は、画像蓄積分配装置２０からの紙葉類Ｐに対応する画像情報を受信したり、入力部３４による入力結果（コーディング情報）を上記入出力制御部２７へ送信する機能を有している。
【００３０】
上記記憶部３２は、画像蓄積分配装置２０から供給された紙葉類Ｐの処理データＣを記憶する。この記憶部３２では、現在（先に）コーディング処理中の画像や次にコーディング処理する画像などの複数の画像情報を記憶できるようになっている。上記表示部３３は、画像蓄積分配装置２０から供給された紙葉類Ｐの画像を表示する。上記入力部３４は、キーボード等で構成され、表示部３３に表示されている画像に基づいて区分先を示す情報をオペレータがキー入力するものである。
【００３１】
上記オフライン認識部４０は、上記画像蓄積分配装置２０から分配された画像情報に含まれる紙葉類の画像に対して上記認識部１８とは異なるアルゴリズムにてＯＣＲ処理を行うものである。上記オフライン認識部４０での認識処理では、上記認識部１８での認識処理に比べて処理時間の制約が緩和される。このため、上記オフライン認識部４０での認識処理は、上記認識部１８での認識処理よりも多くの処理時間をかけて高精度な認識処理を行うアルゴリズムにて生成される認識方法で行われる。
【００３２】
上記ＶＣＳ管理用端末５０は、ＶＣＳの稼動状況、あるいは、ＶＣＳに供給された紙葉類に関する情報などが管理される。上記ＶＣＳ管理用端末５０は、表示部５０ａなどを有している。上記表示部５０ａには、例えば、図２に示すように、特定の区分口に区分された紙葉類の数や上記区分機本体１からＶＣＳ２へ画像情報が転送された紙葉類に関する情報などが表示される。
【００３３】
次に、区分システムにおけるデータの流れについて説明する。
図３は、区分システムにおけるデータの流れを概略的に示すブロック図である。図３に示すように、区分機本体１内では、スキャナ部１３により読取った紙葉類の画像が区分機用ＯＣＲ（オンラインＯＣＲ）１８とＶＣＳＩ／Ｆ１９とへ供給されるようになっている。
【００３４】
上記区分機本体１での区分処理の開始前に、上記オンライン認識部１８には、上記制御部１７から特定の区分情報（以下、特定区分と称する）が指示される。これにより、上記オンライン認識部１８は、区分処理の開始前に特定区分が設定される。上記特定区分は、上記ＶＣＳ２で上記オンライン認識部１８の認識結果として得られた特定区分が正しい認識結果か否かを確認する場合に設定されるものである。つまり、上記オンライン認識部１８の認識結果として特定区分が得られた場合、その認識結果が正しいか否かをＶＣＳ２で確認するものである。
【００３５】
また、オンライン認識部１８は、区分情報が認識できなかった紙葉類の画像、あるいは、認識結果としての区分情報が予め設定されている特定区分と一致する紙葉類の画像を要ＶＣＳの画像としてＶＣＳＩ／Ｆ１９へ指示するようになっている。これにより、上記ＶＣＳＩ／Ｆ１９は、上記オンライン認識部１８からの指示に基づいて上記スキャナ部１３により読取った紙葉類の画像（要ＶＣＳの画像）を画像蓄積分配装置２０へ転送する。なお、特定区分は、複数の区分情報を設定するようにしても良い。
【００３６】
また、上記画像蓄積分配装置２０は、上記ＶＣＳＩ／Ｆ１９により区分機本体１から転送された区分情報が認識できなかった紙葉類の画像あるいは特定区分の紙葉類の画像を受信し、大容量記憶装置２２に蓄積する。また、上記画像蓄積分配装置２０には、ＬＡＮ等のネットワークを介して各ＶＣＤ３０及びオフライン認識部４０に接続されているとともに、上記区分機本体１内のＶＣＳＩ／Ｆ１９が接続されている。
【００３７】
上記画像蓄積分配装置２０は、大容量記憶装置２２に蓄積した画像を各ＶＣＤあるいはオフライン認識部４０へ選択的に分配する。例えば、上記画像蓄積分配装置２０は、ログインされている各機器（ＶＣＤあるいはオフラインＯＣＲ）へ紙葉類の画像を分配するようになっている。すなわち、各ＶＣＤ３０及びオフライン認識部４０は、画像蓄積分配装置２０にログインすることで、画像蓄積分配装置２０から紙葉類の画像が分配される。
【００３８】
次に、上記区分機本体１から上記ＶＣＳ２へ転送される紙葉類の画像とその付帯情報などからなる画像情報のフォーマット（画像フォーマット）について説明する。
図４は、上記区分機本体１の上記ＶＣＳＩ／Ｆ１９から上記ＶＣＳ２の上記画像蓄積分配装置２０へ転送される画像情報のフォーマットの例を示す図である。上記ＶＣＳＩ／Ｆ１９から上記ＶＣＳ２へ転送される画像情報は、図４に示すように、通常ＶＣＳフラグ、調査用画像フラグ、ＩＤコード、認識結果、画像データなどから構成さている。
【００３９】
上記通常ＶＣＳフラグは、当該画像情報が通常のＶＣＳによる処理が必要な画像情報であることを示すフラグである。つまり、上記通常フラグは、当該画像情報に含まれる紙葉類の画像が上記オンライン認識部１８により認識できなかったものであることを示すフラグである。
【００４０】
上記調査用画像フラグは、当該画像情報の認識結果を確認する必要がある画像情報であることを示すフラグである。つまり、上記調査用画像フラグは、当該画像情報に含まれる紙葉類の画像に対する上記オンライン認識部１８の認識結果が特定区分であったものであることを示すフラグである。
【００４１】
上記ＩＤコードは、当該画像情報に対応する紙葉類に付与されたＩＤコードを示すものである。上記認識結果は、上記オンライン認識部１８による認識結果としての区分情報を示すものである。なお、上記オンライン認識部１８により区分情報の一部のみが認識できた場合には認識結果として認識できた部分の情報を示すものであっても良い。この場合、ＶＣＳでのコーディング処理で上記オンライン認識部１８により認識できた区分情報の一部の情報を用いてコーディング作業を効率化することが可能である。上記画像データは、上記スキャナ部１３により読取った紙葉類の画像を示すものである。
【００４２】
上記のようなフォーマットの画像情報は、上記ＶＣＳＩ／Ｆ１９により生成されて上記ＶＣＳ２の画像蓄積分配装置２０へ転送される。
例えば、区分機本体１での区分処理において、上記オンライン認識部１８が区分情報を認識できなかった場合、上記ＶＣＳＩ／Ｆ１９は、当該紙葉類に付与されたＩＤコード及び当該紙葉類の画像データなどからなる画像情報に上記通常ＶＣＳフラグをセットし、上記画像蓄積分配装置２０へ転送する。
【００４３】
また、区分機本体１での区分処理において、上記オンライン認識部１８の認識結果が予め設定されている特定区分であった場合、上記ＶＣＳＩ／Ｆ１９は、当該紙葉類に付与されたＩＤコード、当該紙葉類に対する上記オンライン認識部１８の認識結果（特定区分）、及び当該紙葉類の画像データなどからなる画像情報に上記調査用画像フラグをセットし、上記画像蓄積分配装置２０へ転送する。
【００４４】
次に、上記のように構成される区分システムの動作について説明する。
図５及び図６は、区分システムの動作を説明するためのフローチャートである。図５は、区分機本体１の動作を説明するためのフローチャートであり、図６は、ＶＣＳ２の動作を説明するためのフローチャートである。
以下、図５を参照しつつ、区分機本体の通常モードにおける動作について説明する。
【００４５】
まず、オペレータは、紙葉類を上記供給部１１にセットし、オペレーションパネル３により種々の動作設定を行う（ステップＳ１０）。この動作設定では、処理モード、及び特定区分などが設定される。ここでは、処理モードとして、紙葉類の画像を読取ってオンライン認識部１８の認識結果により紙葉類を区分する通常の処理モード（通常モード）と、紙葉類に付与されているＩＤコードに基づいて紙葉類を区分する再供給モードとが設定できるものとする。
【００４６】
また、オペレーションパネル３により特定区分が指定された場合、上記制御部１７は、上記オンライン認識部１８へ特定区分を示す情報を指示する。これにより、上記オンライン認識部１８は特定区分を設定する（ステップＳ１１）。なお、特定区分は、複数の区分情報を設定するようにしても良い。さらに、全ての区分情報を特定区分として全ての紙葉類に対する上記オンライン認識部１８の認識結果をＶＣＳ２で確認するようにしても良い。
【００４７】
上記のような動作設定を行った後、オペレータは、上記オペレーションパネル３により区分処理の開始を指示する。すると、上記制御部１７は、上記オペレーションパネル３により指定された動作設定に基づいて処理モードが通常モードか再供給モードかを判断する（ステップＳ１２）。
【００４８】
この判断により処理モードが通常モードであると判断した場合（ステップＳ１２、ＹＥＳ）、上記制御部１７は、上記供給部１１により紙葉類Ｐを１つずつ搬送路１２上に供給する（ステップＳ１３）。上記搬送路１２は、上記供給部１１から供給された紙葉類を搬送する。上記搬送路１２を搬送される紙葉類Ｐの画像は、上記スキャナ部１３により読取られ、オンライン認識部１８及びＶＣＳＩ／Ｆ１９へ供給される（ステップＳ１４）。
【００４９】
その後、当該紙葉類Ｐは、上記搬送路１２を搬送され、上記ＩＤコード付与部によりＩＤコードが付与される（ステップＳ１５）。なお、上記オンライン認識部１８により特定区分以外の区分情報が認識された紙葉類については、ＩＤコードを付与しないようにしても良い。
【００５０】
上記オンライン認識部１８は、上記スキャナ部１３より供給された紙葉類の画像に対して区分情報の認識処理（オンライン認識処理）を行う（ステップＳ１６）。ここで、上記オンライン認識部１８による区分情報の認識処理は、所定の時間内に認識結果が得るものである。つまり、所定時間内に区分情報が認識できなかった紙葉類の画像については、認識できなかったもの（認識不能）とする。
【００５１】
上記オンライン認識部１８は、認識処理の結果を所定時間内に上記制御部１７へ通知する。例えば、所定時間内に区分情報が得られた場合、上記オンライン認識部１８は、認識結果としての当該紙葉類の区分情報を制御部１７へ通知する。また、所定時間内に区分情報が得られなかった場合、上記オンライン認識部１８は、当該紙葉類に対する区分情報の認識結果が認識不能であった旨を通知する。
【００５２】
上記オンライン認識部１８から当該紙葉類の区分情報の認識結果を受けると、上記制御部１７は、上記区分部１６により認識結果に応じた紙葉類の区分処理（通常区分処理）を行う（ステップＳ１６）。通常区分処理では、上記オンライン認識部１８により認識された区分情報に対応する区分口に紙葉類を区分する。また、区分情報が認識できなった紙葉類については、図示しないＶＣＳ排除ポケットに区分する。なお、特定区分の紙葉類は、特定区分に対応する区分口に区分されるものとする。
【００５３】
また、上記オンライン認識部１８は、認識処理にて区分情報が得られなかった場合（ステップＳ１８、ＹＥＳ）、認識不能のため要ＶＣＳ（通常ＶＣＳ）の画像として上記ＶＣＳＩ／Ｆ１９へ当該紙葉類の画像を上記画像蓄積分配装置２０へ転送する旨を指示する。
【００５４】
また、上記オンライン認識部１８は、認識処理にて得られた区分情報が予め設定されている特定区分と一致する場合（ステップＳ１８、ＹＥＳ）、当該紙葉類に対する認識結果を調査するため、要ＶＣＳ（特定区分）の画像として上記ＶＣＳＩ／Ｆ１９へ当該紙葉類の画像を上記画像蓄積分配装置２０へ転送する旨を指示する。
【００５５】
上記ＶＣＳＩ／Ｆ１９では、上記オンライン認識部１８からの指示に応じて紙葉類の画像を、図４に示すような画像フォーマットに変換して、上記画像蓄積分配装置２０へ転送する（ステップＳ１９）。
【００５６】
上記のように、区分機本体１では、オンライン認識部による認識処理で、区分情報が認識できなかった紙葉類の画像、及び、認識された区分情報が特定区分であった紙葉類の画像を所定の画像フォーマットにして、上記画像蓄積分配装置へ転送するようにしたものである。これにより、上記オンライン認識部の認識結果をＶＣＳ２で確認することができる。また、上記オンライン認識部の認識結果で区分した紙葉類の画像や各紙葉類に対する上記オンライン認識部による認識結果を後で容易に確認ことができる。
【００５７】
次に、図６を参照しつつ、ＶＣＳ２の動作について説明する。
まず、上記区分機本体１からＶＣＳ２に紙葉類の画像（要ＶＣＳの画像）が転送された場合、上記画像蓄積分配装置２０の主制御部２１は、上記区分機本体１のＶＣＳＩ／Ｆ１９から要ＶＣＳの画像を所定の画像フォーマット（画像情報）で受信する（ステップＳ３１）。上記ＶＣＳＩ／Ｆ１９から要ＶＣＳの画像情報を受信すると、上記主制御部２１は、当該画像情報を上記大容量記憶装置２２に記憶する（ステップ３３）。上記大容量記憶装置２２に画像情報を記憶する際、上記主制御部２１は、上記画像情報を圧縮処理して記憶するようにしても良い。
【００５８】
上記主制御部２１は、上記ビデオ分配制御部２４からの画像分配の指示に基づいて、上記大容量記憶装置２２に記憶している画像情報を画像メモリ２３上に読み出して、上記ＶＣＤ３０あるいは上記オフライン認識部４０へ選択的に画像情報を分配する。ここで、上記大容量記憶装置２２に記憶している画像情報のうち上記オンライン認識部１８により区分情報が認識できなかった紙葉類に対応する画像情報には、通常ＶＣＳフラグが付与されており、上記オンライン認識部１８による認識結果が特定区分であった紙葉類に対応する画像情報には、調査用画像フラグが付与されている。
【００５９】
ここでは、上記調査用画像フラグが付与されている画像情報をオフライン認識部４０へ分配するものとし、上記通常ＶＣＳフラグが付与されている画像情報をＶＣＤ３０へ分配するものとする。なお、通常ＶＣＳフラグが付与されている画像情報は、通常のＶＣＳ処理を行うものであり、上記オフライン認識部４０が空いている場合にはＶＣＤ３０の代わりにオフライン認識部４０へ分配するようにしても良い。
【００６０】
すなわち、上記主制御部２１は、上記大容量記憶装置２２に記憶している画像情報を各画像情報に含まれるフラグ（付帯情報）に基づいて、当該画像情報をオフライン認識部４０に分配するかＶＣＤ３０に分配するかを判断する（ステップＳ３４）。
【００６１】
この判断によりＶＣＤ３０へ画像情報（通常ＶＣＳの画像）を分配すると判断した場合、上記主制御部２１は、当該画像情報をＶＣＤ３０に配信する。すると、当該画像情報を受信したＶＣＤ３０の制御部３１は、当該画像情報に含まれる画像データを表示部３３に表示し、オペレータによる区分情報の入力処理（コーディング処理）を行う（ステップＳ３７）。
【００６２】
このコーディング処理により当該画像情報の区分情報が入力されると、上記ＶＣＤ３０の制御部３１は、オペレータにより入力された区分情報を上記画像蓄積分配装置２０へ返す。上記ＶＣＤ３０で入力された区分情報は、上記入出力制御部２７へ供給される。上記入出力制御部２７は、タイミング制御部２５を介して、上記ＶＣＤ３０で入力された区分情報を当該画像情報のＩＤコードに対応づけて区分機本体１へ通知する（ステップＳ３８）。
【００６３】
また、上記ステップＳ３４の判断で、上記オフライン認識部４０へ画像情報（特定区分の画像）を分配すると判断した場合（ステップＳ３４、特定区分）、上記主制御部２１は、当該画像情報をオフライン認識部４０へ配信する。すると、上記オフライン認識部４０は、当該画像情報に含まれる紙葉類の画像（画像データ）に対して区分情報の認識処理（オフライン認識処理）を行う（ステップＳ３５）。このオフライン認識処理による区分情報の認識結果は、上記オフライン認識部４０から上記主制御部２１へ送られる。
【００６４】
上記オフライン認識部４０から調査用画像フラグの付与されている画像情報に対するオフライン認識処理の結果を受信した場合、上記主制御部２１は、当該画像情報に含まれるオンライン認識部１８によるオンライン認識処理の認識結果としての特定区分の区分情報と、上記オフライン認識部４０から受信したオフライン認識処理による認識結果としての区分情報とが一致するか否かを判断する。つまり、上記主制御部２１は、調査用画像フラグの付与されている画像情報に対するオフライン認識部４０の認識結果が特定区分であるか否かを判断する（ステップＳ３６）。
【００６５】
この判断は、オンライン認識部１８の認識結果をオフライン認識部の認識結果と比較することによりオンライン認識部１８の認識結果が正しいか否かを確認するものである。つまり、上記オンライン認識部１８の認識結果とオフライン認識部の認識結果が一致する場合には、オンライン認識部１８による認識結果が正しいものであったと判断するものである。
【００６６】
すなわち、上記判断によりオフライン認識部４０による認識結果が特定区分でないと判断した場合（ステップＳ３６、ＮＯ）、つまり、上記オンライン認識部１８の認識結果と上記オフライン認識部４０の認識結果とが一致しなかった場合、上記主制御部２１は、再度、当該画像情報をＶＣＤ３０へ分配する（ステップＳ３７）。これにより、上記ステップＳ３７及びＳ３８と同様に、当該画像情報の区分情報は、上記ＶＣＤ３０でコーディング処理され、当該画像情報のＩＤコードに対応づけて区分機本体１へ通知される（ステップＳ３８）。
【００６７】
なお、上記オンライン認識部１８の認識結果と上記オフライン認識部４０の認識結果とが一致しなかった場合、上記主制御部２１は、当該画像情報とともに、オンライン認識部１８の認識結果とオフライン認識部４０の認識結果とを上記ＶＣＤ３０へ供給するようにしても良い。この場合、ＶＣＤ３０では、オンライン認識部１８の認識結果とオフライン認識部４０の認識結果とを表示部３３に表示し、何れかの認識結果をオペレータが選択するにしても良い。これにより、ＶＣＤ３０での区分情報のコーディング作業を軽減できる。
【００６８】
ここで、上記オンライン認識部１８の認識結果と上記オフライン認識部４０の認識結果とが一致しなかった場合、オンライン認識部１８の認識結果が正しいか、オフライン認識部の認識結果が正しいかが不明である。このため、当該画像情報に対してＶＣＤによる処理を行うものである。
【００６９】
また、上記判断によりオフライン認識部４０による認識結果が特定区分であると判断した場合（ステップＳ３６、ＹＥＳ）、つまり、上記オンライン認識部１８の認識結果と上記オフライン認識部４０の認識結果とが一致した場合、上記主制御部２１は、当該紙葉類（画像情報）の区分情報が特定区分であると確定し、当該画像情報の区分情報として特定区分を当該画像情報のＩＤコードに対応づけて上記区分機本体１へ通知する（ステップＳ３８）。
【００７０】
ここで、上記オンライン認識部１８の認識結果と上記オフライン認識部４０の認識結果とが一致した場合、オンライン認識部１８の認識結果が正しいものであることを確認完了するものである。このため、特定区分を当該画像情報の区分情報として当該画像情報のＩＤコードに対応づけて区分機本体１へ返すようにしている。
【００７１】
上記のように、ＶＣＳでは、区分機本体から転送される紙葉類の画像情報に対して、オフライン認識部により認識処理を行って、上記オンライン認識部による認識結果とオフライン認識部による認識結果とを比較する。
これにより、オンライン認識部による認識結果が正しいか否かを確認することが可能となる。
【００７２】
なお、上記オンライン認識部１８の認識結果と上記オフライン認識部４０の認識結果との比較結果を上記ＶＣＳ管理用端末５０の表示部５０ａに表示するようにしても良い。さらに、上記オンライン認識部１８の認識結果、上記オフライン認識部４０の認識結果、あるいは上記ＶＣＤ３０により入力された区分情報なども上記ＶＣＳ管理用端末５０の表示部５０ａに表示するようにしても良い。
【００７３】
さらに、上記オンライン認識部による認識結果とオフライン認識部による認識結果とが一致した場合には、上記オンライン認識部による認識結果が正しいと判断し、上記オンライン認識部による認識結果とオフライン認識部による認識結果とが一致しない場合には、ＶＣＤにより当該画像情報の区分情報を入力するようにしたものである。これにより、上記オンライン認識部による認識結果が正しいか確認でき、オンライン認識部の認識結果が正しいか否かが不明である場合にはＶＣＤにより正確な区分情報を取得することできる。
【００７４】
次に、図５を参照しつつ、区分機本体１の再供給モードにおける動作について説明する。
上記通常モードでは、上記オンライン認識部１８の認識結果に基づいて、区分機本体１が上記ＶＣＳ２から通知された区分情報に基づいて紙葉類を区分している。この通常モードで区分できなかった紙葉類、あるいは、特定区分として区分された紙葉類の区分情報は、上記ＶＣＳ２で区分情報が確定され、ＩＤコードと対応づけられて区分機本体１に通知される。上記区分機本体１では、上記ＶＣＳから通知されたＩＤコードと対応づけられた区分情報を上記制御部１７のメモリ１７ａに記憶しておくようになっている。
【００７５】
これにより、区分機本体１は、上記通常モードで区分できなかった紙葉類、あるいは、特定区分として区分された紙葉類の区分情報が取得し、再供給モードで上記通常モードで区分できなかった紙葉類、あるいは、特定区分として区分された紙葉類を区分処理するようになっている。
【００７６】
すなわち、オペレータは、上記通常モードで区分できなかった紙葉類、あるいは、特定区分として区分された紙葉類を、再度、上記供給部１１にセットし、オペレーションパネル３により処理モードとして再供給モードを指定して区分処理の開始を指示する（ステップＳ１０）。なお、上記再供給モードでは特定区分の設定は省略される。
【００７７】
上記オペレーションパネル３により区分処理の開始を指示されると、上記制御部１７は、再供給モードによる紙葉類の区分処理を開始し（ステップＳ１２、ＮＯ）、上記供給部１１にセットされている紙葉類Ｐを１つずつ搬送路１２上に供給する（ステップＳ２１）。上記搬送路１２は、上記供給部１１から供給された紙葉類を搬送する。上記搬送路１２を搬送される紙葉類Ｐからは、上記ＩＤコード読取部１４によりＩＤコードが読取られる（ステップＳ２２）。
【００７８】
上記ＩＤコード読取部１４により読取った紙葉類のＩＤコードは、上記制御部１７へ供給される。上記ＩＤコード読取部１４からＩＤコードを受信すると、上記制御部１７は、当該ＩＤコードに対応する区分情報をメモリ１７ａ内から検索する。上記メモリ１７ａには、ＶＣＳ２で確定した紙葉類の区分情報が当該紙葉類のＩＤコードに対応づけて記憶されている。つまり、上記制御部１７は、上記ＩＤコード読取部１４により紙葉類から読取ったＩＤコードに対応する区分情報をメモリ１７ａに記憶されている情報から判別する。これにより当該紙葉類の区分情報を判別すると、上記制御部１７は、その区分情報に基づいて上記区分部１６を制御して当該紙葉類を区分処理する（ステップＳ２３）。
【００７９】
上記のような再供給モードでの処理により、通常モードで区分できなかった紙葉類及び特定区分として区分された紙葉類を、再度、確かな区分情報に基づいて区分することができる。
【００８０】
上記のように、本実施の形態によれば、オンライン認識部による認識結果に基づいて紙葉類を区分するとともに、オンライン認識部による認識結果と当該紙葉類の画像とをＶＣＳへ転送し、これらの紙葉類の画像に対してＶＣＳでオフライン認識部による認識処理を行って、上記オンライン認識部による認識結果とオフライン認識結果とを比較する。
【００８１】
これにより、オンライン認識部による認識結果が正しいか否かを確認することが可能となる。また、上記ＶＣＳには、オンライン認識部により認識が完了した紙葉類の画像が蓄積される。このため、区分機での区分処理後に、紙葉類の画像とオンライン認識部による認識結果とを確認することも可能となる。
【００８２】
【発明の効果】
以上詳述したように、この発明によれば、オフラインＯＣＲにより処理の効率化を図るとともに、システム全体のコストを抑え、かつ、省スペースが実現できる区分システムおよび区分方法を提供できる。
【図面の簡単な説明】
【図１】この発明の実施の形態に係わる区分システムの概略構成を示すブロック図。
【図２】ＶＣＳ管理端末での表示例を示す図。
【図３】区分システムにおけるデータの流れを説明するためのブロック図。
【図４】区分機本体からＶＣＳへ転送される画像情報のフォーマットの例を示す図。
【図５】区分システムにおける区分機本体の動作を説明するためのフローチャート。
【図６】区分システムにおけるＶＣＳの動作を説明するためのフローチャート。
【符号の説明】
１…区分機本体、１３…スキャナ部（読取手段）、１６…区分部（区分手段）、１７…制御部、１８…オンライン認識部（オンライン認識手段）、１９…ＶＣＳＩ／Ｆ（転送手段）、１９ａ…オフラインＯＣＲ部、２０…蓄積分配装置、２２…大容量記憶装置、３０…コーディング端末（コーディング装置）、４０…オフライン認識部
【図１】
2004337816.tif 000003
【図２】
2004337816.tif 000004
【図３】
2004337816.tif 000005
【図４】
2004337816.tif 000006
【図５】
2004337816.tif 000007
【図６】
2004337816.tif 000008